(57)【要約】【課題】電気光学装置においてＹドライバを不要とし、電気光学装置のＸ方向のサイズの縮小を可能とすること。【解決手段】列毎に縦方向シフトレジスタ２００およびラッチ回路３００を設ける。縦方向シフトレジスタ２００の各段の転送単位回路（レジスタ）ＲＹに１画面分の画像データが蓄積された段階で、ラッチパルス（ＹＳＦＴ）をアクティブとして、各段の転送単位回路（ＲＹ）に保持されている画像データを、ラッチ要素回路（ＲＬ）にパラレルにラッチする。Ｙ方向シフトレジスタ（２００）の画像データを上下にスクロールしたり、循環させたり、あるいは、横方向にスクロールさせたりすることも可能である。【選択図】図１
2008241833.tif 000002
【特許請求の範囲】
【請求項１】
Ｘ方向に沿って配置されたＸドライバと、
前記Ｘドライバから供給される画像データを前記Ｘ方向と直交するＹ方向に転送するための、複数段の転送単位回路が従属接続されて構成されるＹ方向シフトレジスタと、
前記Ｙ方向シフトレジスタの各段の前記転送単位回路に対応して設けられた、前記各段の転送単位回路に保持されている前記画像データの各々をパラレルにラッチする複数のラッチ要素回路を含むラッチ回路と、
を有し、
前記Ｙ方向シフトレジスタを構成する１段の前記転送単位回路と、前記１段の転送単位回路に対応して設けられた前記ラッチ要素回路と、によって１つの画素回路が構成されることを特徴とする電気光学装置。
【請求項２】
請求項１記載の電気光学装置であって、
前記Ｙ方向シフトレジスタを構成する奇数段の前記転送単位回路は、第１の転送クロックによって駆動され、偶数段の前記転送単位回路は、前記第１の転送クロックとは逆相の第２の転送クロックによって駆動され、
前記ラッチ回路を構成する各段の前記ラッチ要素回路には、前記各段の転送単位回路に保持されている前記画像データの各々をパラレルにラッチするためのラッチパルスが入力され、
前記第１および第２の転送クロック、ならびに前記ラッチパルスは、前記Ｘドライバ側に配置された、または、前記Ｙ方向シフトレジスタを挟んで前記Ｘドライバの反対側に配置されたクロック回路により生成される、
ことを特徴とする電気光学装置。
【請求項３】
請求項１または請求項２記載の電気光学装置であって、
前記Ｙ方向シフトレジスタの出力端から出力される前記画像データを、前記Ｙ方向シフトレジスタの入力端に戻すための帰還経路と、
前記Ｘドライバから供給される前記画像データまたは前記帰還経路を経由して戻される前記画像データを、選択的に前記Ｙ方向シフトレジスタの前記入力端に供給するセレクタと、
を有することを特徴とする電気光学装置。
【請求項４】
請求項１〜請求項３のいずれか記載の電気光学装置であって、
前記Ｙ方向シフトレジスタは転送方向切換制御信号によって、前記画像データの転送方向が切換えられる双方向シフトレジスタであることを特徴とする電気光学装置。
【請求項５】
請求項１〜請求項４のいずれか記載の電気光学装置であって、
さらに、ｍ列ｎ行目（ｍおよびｎは１以上の自然数）の画素回路を構成する前記ラッチ要素回路に保持されている前記画像データを、前記Ｘ方向に隣接する（ｍ＋１）列ｎ行目の前記画素回路を構成する前記ラッチ要素回路に転送するＸ方向シフトレジスタを有することを特徴とする電気光学装置。
【請求項６】
請求項１〜請求項４のいずれか記載の電気光学装置であって、
ｍ列ｎ行目（ｍおよびｎは１以上の自然数）の画素回路を構成する前記ラッチ要素回路に保持されている前記画像データを、隣接する（ｍ＋１）列ｎ行目の前記画素回路を構成する前記ラッチ要素回路に伝達するためのデータ伝達経路と、
前記（ｍ＋１）列ｎ行目の前記画素回路を構成する前記転送単位回路ならびに前記ラッチ要素回路の間に設けられた、前記（ｍ＋１）列ｎ行目の前記画素回路を構成する前記転送単位回路からの前記画像データまたは前記データ伝達経路を経由して前記ｍ列ｎ行目の画素回路を構成する前記ラッチ要素回路から供給される前記画像データを、選択的に前記（ｍ＋１）列ｎ行目の前記画素回路を構成する前記ラッチ要素回路に供給するセレクタと、を有し、
前記セレクタによって、前記データ伝達経路を経由した前記画像データが選択されるとき、前記前記ｍ行ｎ列目の画素回路を構成する前記ラッチ要素回路と、前記（ｍ＋１）行ｎ列目の画素回路を構成する前記ラッチ要素回路とが従属接続された、前記画像データを前記Ｘ方向に転送するためのＸ方向シフトレジスタが構成され、
前記ｍ行ｎ列目の画素回路を構成する前記ラッチ要素回路および前記（ｍ＋１）行ｎ列目の画素回路を構成する前記ラッチ要素回路の各々に、互いに逆相の転送クロックが入力されることによって、前記画像データが前記Ｘ方向に転送されることを特徴とする電気光学装置。
【請求項７】
請求項１〜請求項６記載の電気光学装置であって、
前記電気光学装置は、反射型液晶装置であることを特徴とする電気光学装置。
【請求項８】
Ｘ方向に沿って配置されたＸドライバと、
前記Ｘドライバから供給される画像データを前記Ｘ方向と直交するＹ方向に転送するための、複数段の転送単位回路が従属接続されて構成されるＹ方向シフトレジスタと、
前記Ｙ方向シフトレジスタの各段の前記転送単位回路に対応して設けられた、前記各段の転送単位回路に保持されている前記画像データの各々をパラレルにラッチする複数のラッチ要素回路を含むラッチ回路と、
前記Ｙ方向シフトレジスタの駆動クロックならびに前記複数のラッチ要素回路に前記画像データをパラレルにラッチするためのラッチパルスを生成する、前記Ｘドライバ側に配置された、または、前記Ｙ方向シフトレジスタを挟んで前記Ｘドライバの反対側に配置されたクロック回路と、
を有するアクティブマトリクス基板。
【請求項９】
請求項８記載のアクティブマトリクス基板であって、
さらに、ｍ列ｎ行目（ｍおよびｎは１以上の自然数）の画素回路を構成する前記ラッチ要素回路に保持されている前記画像データを、前記Ｘ方向において隣接する（ｍ＋１）列ｎ行目の前記画素回路を構成する前記ラッチ要素回路に転送するＸ方向シフトレジスタを有することを特徴とするアクティブマトリクス基板。
【請求項１０】
請求項１〜請求項７のいずれか記載の電気光学装置を搭載する電子機器。
【発明の詳細な説明】
【技術分野】
【０００１】
本発明は、電気光学装置、アクティブマトリクス基板および電子機器に関する。
【背景技術】
【０００２】
電気光学装置（液晶装置、ＥＬ装置等の表示装置を含む。ここでは液晶装置とする）は、複数の走査線と、複数のデータ線と、走査線の各々とデータ線の各々によって選択される画素がマトリクス状に配置された画素アレイと、を含んで構成される。走査線はＹドライバによって駆動され、データ線はＸドライバによって駆動される。
【０００３】
液晶表示パネルの横縦比（アスペクト比）は概ね４：３であるが、ワイド画面の液晶表示パネルでは、１６：９となる場合がある（特許文献１参照）。
【０００４】
また、１画素に２つのメモリ(フリップフロップ)を備えた液晶装置が提案されている（特許文献２参照）。ただし、この液晶装置も、ＸドライバとＹドライバを備え、走査線とデータ線によって画素が選択される。
【特許文献１】特開２００４−１１８２１７号公報
【特許文献２】特開２０００−１４８０６５号公報
【発明の開示】
【発明が解決しようとする課題】
【０００５】
ワイド画面液晶装置のように、画面が横長の（Ｘ方向に長い）形状になると、走査線長が長くなる。その長い走査線を高速に駆動するためには、Ｙドライバを左側および右側に配置する構成としなければならない。
【０００６】
しかし、この場合には、Ｙドライバを左右に配置することから、さらに横に長い形状となり、しかもＹドライバの占有面積が大きいことから、表示パネルのサイズが大型化することは否めない。
【０００７】
本発明はこのような考察に基づいてなされたものであり、その目的の一つは、電気光学装置においてＹドライバを不要とし、電気光学装置のＸ方向のサイズの縮小を可能とすることにある。
【課題を解決するための手段】
【０００８】
（１）本発明の電気光学装置の一態様では、Ｘ方向に沿って配置されたＸドライバと、前記Ｘドライバ）から供給される画像データを前記Ｘ方向と直交するＹ方向に転送するための、複数段の転送単位回路が従属接続されて構成されるＹ方向シフトレジスタと、前記Ｙ方向シフトレジスタの各段の前記転送単位回路に対応して設けられた、前記各段の転送単位回路に保持されている前記画像データの各々をパラレルにラッチする複数のラッチ要素回路を含むラッチ回路と、を有し、前記Ｙ方向シフトレジスタを構成する１段の前記転送単位回路と、前記１段の転送単位回路に対応して設けられた前記ラッチ要素回路と、によって１つの画素回路が構成される。
【０００９】
Ｘドライバから出力される画像データをデータ線方向（Ｙ方向）に配列されたＹ方向シフトレジスタによって順次、転送し、１画面分の画像が完成した時点で、各画素の画像データをラッチ要素回路にパラレルにラッチ（記憶）する。シフトレジスタを用いたデータ転送と、ラッチ要素回路へのパラレルラッチとによって各画素のデータを更新するという、面順次駆動を基本とした新規な画像表示方式が採用される。従来のように、走査線とデータ線によって画素を特定してその画素にデータを書込む必要がないため、Ｙドライバが不要となる。この場合、例えば、反射型液晶装置であれば、反射電極の下には空きスペースが存在するため、その空きスペースにＹ方向シフトレジスタやラッチ要素回路を構成するトランジスタを配置すれば、画素アレイの占有面積は特に増大しない。
【００１０】
（２）本発明の電気光学装置の他の態様では、前記Ｙ方向シフトレジスタを構成する奇数段の前記転送単位回路は、第１の転送クロックによって駆動され、偶数段の前記転送単位回路は、前記第１の転送クロックとは逆相の第２の転送クロックによって駆動され、前記ラッチ回路を構成する各段の前記ラッチ要素回路には、前記各段の転送単位回路に保持されている前記画像データの各々をパラレルにラッチするためのラッチパルスが入力され、前記第１および第２の転送クロック、ならびに前記ラッチパルスは、前記Ｘドライバ側に配置された、または、前記Ｙ方向シフトレジスタを挟んで前記Ｘドライバの反対側に配置されたクロック回路により生成される。
【００１１】
Ｙ方向シフトレジスタに供給される転送クロック、ならびに、ラッチ要素回路に供給されるラッチクロックはクロック回路によって生成され、そのクロック回路は、Ｘドライバ側あるいは、画素アレイを挟んでＸドライバとは反対側に配置される点を明らかとしたものである。すなわち、Ｙ方向（縦方向）側にクロック回路が配置されるのであり、Ｘ方向（横方向）には配置されないため、電気光学装置のＸ方向（横方向）のサイズは増大しない。
【００１２】
（３）本発明の電気光学装置の他の態様では、前記Ｙ方向シフトレジスタの出力端から出力される前記画像データを、前記Ｙ方向シフトレジスタの入力端に戻すための帰還経路と、前記Ｘドライバから供給される前記画像データまたは前記帰還経路を経由して戻される前記画像データを選択的に前記Ｙ方向シフトレジスタの前記入力端に供給するセレクタと、を有する。
【００１３】
Ｙ方向シフトレジスタの入力端と出力端とを接続する経路を設けることによって、電気光学装置内で、画像データを循環させることが可能となる。例えば、スクリーンセーバーでは、特定の画像をＹ方向（縦方向）に循環させるニーズがあり、このようなニーズに対応する機能として有用である。従来の電気光学装置であれば、ホストコンピュータが縦スクロールする画像を常に更新する（新たに画素データを書込む）ことが必要であったが、本態様の場合、既に書込まれた画像データを、電気光学装置内で自発的に縦にスクロールできるため、ホストコンピュータの負担が生じない。
【００１４】
（４）本発明の電気光学装置の他の態様では、前記Ｙ方向シフトレジスタは転送方向切換制御信号によって、前記画像データの転送方向が切換えられる双方向シフトレジスタである。
【００１５】
Ｙ方向シフトレジスタとして、双方向シフトレジスタ（転送方向切換え制御信号によって転送方向を切換えることができるシフトレジスタ）を用いることによって、画像を下から上にスクロールすること、ならびに、上から下にスクロールすることの双方が可能となる。
【００１６】
（５）本発明の電気光学装置の他の態様では、さらに、ｍ列ｎ行目（ｍおよびｎは１以上の自然数）の画素回路を構成する前記ラッチ要素回路に保持されている前記画像データを、前記Ｘ方向に隣接する（ｍ＋１）列ｎ行目の前記画素回路を構成する前記ラッチ要素回路に転送するＸ方向シフトレジスタを有する。
【００１７】
Ｘ方向（横方向）シフトレジスタを設けることによって、画像データをＸ方向（横方向）にもスクロールすることが可能となる。
【００１８】
（６）本発明の電気光学装置の他の態様では、ｍ列ｎ行目（ｍおよびｎは１以上の自然数）の画素回路を構成する前記ラッチ要素回路に保持されている前記画像データを、隣接する（ｍ＋１）列ｎ行目の前記画素回路を構成する前記ラッチ要素回路に伝達するためのデータ伝達経路と、前記（ｍ＋１）列ｎ行目の前記画素回路を構成する前記転送単位回路ならびに前記ラッチ要素回路の間に設けられた、前記（ｍ＋１）列ｎ行目の前記画素回路を構成する前記転送単位回路からの前記画像データまたは前記データ伝達経路を経由して前記ｍ列ｎ行目の画素回路を構成する前記ラッチ要素回路から供給される前記画像データを、選択的に前記（ｍ＋１）列ｎ行目の前記画素回路を構成する前記ラッチ要素回路に供給するセレクタと、を有し、前記セレクタによって、前記データ伝達経路を経由した前記画像データが選択されるとき、前記前記ｍ行ｎ列目の画素回路を構成する前記ラッチ要素回路と、前記（ｍ＋１）行ｎ列目の画素回路を構成する前記ラッチ要素回路とが従属接続された、前記画像データを前記Ｘ方向に転送するためのＸ方向シフトレジスタが構成され、前記ｍ行ｎ列目の画素回路を構成する前記ラッチ要素回路および前記（ｍ＋１）行ｎ列目の画素回路を構成する前記ラッチ要素回路の各々に、互いに逆相の転送クロックが入力されることによって、前記画像データが前記Ｘ方向に転送される。
【００１９】
画像データをＸ方向（横方向）にシフトするためのＸ方向シフトレジスタを、Ｘ方向に隣接する画素回路に含まれるラッチ要素回路を連結することによって作成する点を明らかとしたものである。Ｘ方向（横方向）シフトレジスタは、隣接する画素のラッチ要素回路間を結ぶデータ伝達経路と、各画素に設けられたセレクタを含んで構成され、セレクタによって横方向転送モードが選択されたときに、Ｘ方向シフトレジスタがアクティブとなって画像データのＸ方向（横方向）転送が可能となる。各画素に設けられるセレクタは、Ｙ方向（縦方向）シフトレジスタからの画像データをパラレルにラッチするモードと、各画素に保持されている画像データを、Ｘ方向に隣接する画素に転送する（横方向転送）モードと、を選択するために設けられている。セレクタを用いて各画素のラッチ要素回路同士を適宜、連結することによって、新たな回路要素の追加をすることなく、Ｘ方向シフトレジスタを構築することができる。そして、隣接するラッチ要素回路の各々に、互いに逆相の転送クロックが入力されることによって、画像データがＸ方向に一段ずつ転送される。
したがって、電気光学装置の画素アレイのサイズを増大させることなく、画像データの自発的な縦方向スクロールおよび横方向スクロールを自在に行うことが可能となる。
【００２０】
（７）本発明の電気光学装置の他の態様では、前記電気光学装置は、反射型液晶装置である。
【００２１】
反射型液晶装置であれば、反射電極の下には空きスペースが存在するため、その空きスペースにＹ方向シフトレジスタやラッチ要素回路を構成するトランジスタを配置すれば、画素アレイの占有面積は特に増大しない。但し、これに限定されるものではなく、若干の画素アレイサイズの増大が許容されるのであれば、透過型液晶装置にも本発明の適用が可能である。
【００２２】
（８）本発明のアクティブマトリクス基板の一態様では、Ｘ方向に沿って配置されたＸドライバと、前記Ｘドライバから供給される画像データを前記Ｘ方向と直交するＹ方向に転送するための、複数段の転送単位回路が従属接続されて構成されるＹ方向シフトレジスタと、前記Ｙ方向シフトレジスタの各段の前記転送単位回路に対応して設けられた、前記各段の転送単位回路に保持されている前記画像データの各々をパラレルにラッチする複数のラッチ要素回路を含むラッチ回路と、前記Ｙ方向シフトレジスタの駆動クロックならびに前記複数のラッチ要素回路に前記画像データをパラレルにラッチするためのラッチパルスを生成する、前記Ｘドライバ側に配置された、または、前記Ｙ方向シフトレジスタを挟んで前記Ｘドライバの反対側に配置されたクロック回路と、を有する。
【００２３】
これにより、シフトレジスタを用いたデータ転送と、ラッチ要素回路へのパラレルラッチとによって各画素のデータを更新するという、面順次駆動を基本とした新規な画像表示方式が採用されたアクティブマトリクス基板が得られる。
【００２４】
（９）本発明のアクティブマトリクス基板の一態様では、さらに、ｍ列ｎ行目（ｍおよびｎは１以上の自然数）の画素回路を構成する前記ラッチ要素回路に保持されている前記画像データを、前記Ｘ方向において隣接する（ｍ＋１）列ｎ行目の前記画素回路を構成する前記ラッチ要素回路に転送するＸ方向シフトレジスタを有する。
【００２５】
Ｘ方向（横方向）シフトレジスタを設けることによって、画像データをＸ方向（横方向）にもスクロールすることが可能となる。
【００２６】
（１０）本発明の電子機器は、本発明の電気光学装置を搭載する。
【００２７】
本発明の電気光学装置は、Ｙドライバが不要でありＸ方向（横方向）のサイズの縮小が可能である。よって、本発明の電気光学装置を搭載することによって、電子機器（携帯端末、コンピュータ端末、反射型プロジェクタ等）の小型化が実現される。また、画像の縦方向スクール（画像循環を含む）や横方向スクロールも可能となるため、例えば、電子書籍の１ページを上下や左右に必要量だけスクロールして、見易い表示を形成するというような利用が可能である。また、例えば、顔の画像を表示しておき、一部のデータ（一部の列データや行データ）のみをスクロールすることによって、モンタージュ写真の手法を実現することもでき、このような手法は、例えば、携帯端末ゲーム等に応用が可能である。したがって、電子機器の多機能化、高機能化、表示機能の多様化が達成され、かつ、電子機器の利便性も向上する。
【００２８】
このように本発明によれば、電気光学装置においてＹドライバが不要となり、電気光学装置のＸ方向のサイズを縮小することができる。さらに、電気光学装置における画像データの縦方向スクロールや横方向スクロールが可能となる。また、電子機器の多機能化、高機能化、表示機能の多様化が達成され、かつ、電子機器の利便性も向上する。
【発明を実施するための最良の形態】
【００２９】
次に、本発明の実施形態について、図面を参照して説明する。なお、以下に説明する本実施形態は、特許請求の範囲に記載された本発明の内容を不当に限定するものではなく、本実施形態で説明される構成のすべてが、本発明の解決手段として必須であるとは限らない。
【００３０】
（第１の実施形態）
（液晶装置の全体構成）
図１は、本発明の電気光学装置の一例（反射型液晶装置）の全体構成を示す図である。図示されるように、この反射型液晶装置（以下、単に液晶装置という）１００は、Ｘ：Ｙが１６：９のワイド画面をもつ表示装置である。
【００３１】
液晶装置１００は、従来装置のようなＹドライバを有さず、したがって走査線も存在しない。
【００３２】
その代わりに、液晶装置１００は、画素アレイ部１２０において、Ｙ方向（縦方向）シフトレジスタ２００と、Ｙ方向シフトレジスタ２００を構成する各段の転送単位回路（図面ではレジスタと表記している）ＲＹに保持されている画像データを、パラレルにラッチするラッチ回路３００と、を有している。図１では、便宜上，１列のＹ方向シフトレジスタ２００と１列のラッチ回路３００のみが描かれているが、実際は、複数列のＹ方向シフトレジスタ２００と複数列のラッチ回路３００が設けられる。
【００３３】
Ｙ方向シフトレジスタ２００は、複数段の転送単位回路（レジスタ）ＲＹをＹ方向に従属接続して構成される。ラッチ回路３００は、各段の転送単位回路（レジスタ）ＲＹに対応して設けられた、複数のラッチ要素回路（単位ラッチ回路）ＲＬを含んで構成される。各ラッチ要素回路（単位ラッチ回路）ＲＬには、液晶素子ＬＣが接続される。
【００３４】
Ｙ方向シフトレジスタ（２００）を構成する各段の転送単位回路（レジスタ）ＲＹと、その転送単位回路（レジスタ）ＲＹに対応して配置されたラッチ要素回路（単位ラッチ回路）ＲＬと、によって１画素（１画素回路：図中、点線で囲まれて示される）Ｇが構成される。画素（画素回路）Ｇはマトリクス状に配置され、これによって画素アレイ１１０が構成される。
【００３５】
また、液晶装置１００には、外部接続端子としてのパッドＰ１〜Ｐｎが設けられている。このパッド（Ｐ１〜Ｐｎ）には、例えば、ホストコンピュータから画像データや制御信号が入力される。
【００３６】
また、パッド（Ｐ１〜Ｐｎ）の近傍に、Ｘドライバ１１０が設けられる。このＸドライバ１１０は、パッド（Ｐ１〜Ｐｎ）を経由してホストコンピュータから入力される画像データ（ＶＤＡＴＡ）を水平方向（Ｘ方向）に転送すると共に、画像データ（ＶＤＡＴＡ）を各列のＹ方向シフトレジスタ２００に供給する。
【００３７】
また、画素アレイを挟んでＸドライバ１１０の反対側には、クロック回路１３０が配置される。クロック回路１３０は、空きスペースがあれば、Ｘドライバ１１０側に配置することもできる。なお、図１の液晶装置１００では、Ｘ方向（横方向）のサイズの縮小をめざしているため、クロック回路１３０を、液晶装置１００の左辺または右辺に沿って配置するレイアウトは採用しないのが望ましい（但し、これに限定されるものではない）。
【００３８】
クロック回路１３０は、２相の転送クロック（ＹＣＬＫ，／ＹＣＬＫ）を生成し、その転送クロック（ＹＣＬＫ，／ＹＣＬＫ）を、Ｙ方向シフトレジスタ２００の各段の転送単位回路（レジスタ）ＲＹに供給する。また、クロック回路１３０は、ラッチパルス（ＹＳＦＴ）を生成し、そのラッチパルス（ＹＳＦＴ）をラッチ回路３００の各段のラッチ要素回路（単位ラッチ回路）ＲＬに供給する。なお、ラッチパルス（ＹＳＦＴ）は、Ｙ方向シフトレジスタ２００を構成する各段の転送単位回路（図面ではレジスタと表記している）ＲＹに保持されている画像データを、ラッチ回路２００にパラレルにラッチするためのクロックである。
【００３９】
図１の液晶装置は、横長のワイド画面の液晶装置であるにもかかわらず、左右にＹドライバが存在せず、したがって、液晶装置１００の小型化が達成される。
【００４０】
また、反射型液晶装置の場合、反射電極の下には空きスペースが存在するため、その空きスペースに、Ｙ方向シフトレジスタ２００やラッチ回路３００を構成するトランジスタを配置すれば、画素アレイ１２０の占有面積は特に増大しない。
【００４１】
また、クロック回路１３０を、Ｘドライバ１１０側あるいは、画素アレイ１１０を挟んでＸドライバ１１０とは反対側に配置することによって、Ｘ方向（横方向）にクロック回路１３０が存在しなくなり、液晶装置１００のＸ方向（横方向）のサイズは増大しないという利点がある。
【００４２】
（Ｙ方向シフトレジスタとラッチ回路の具体的な内部回路構成）
図２は、Ｙ方向シフトレジスタとラッチ回路の要部の、具体的な内部回路構成を示す回路図である。図２において、図１と共通する部分には共通の参照符号を付してある。
【００４３】
図２において、ＲＹｍ１，ＲＹｍ２は各々、Ｙ方向シフトレジスタ２００を構成する、ｍ列１行目ならびにｍ列２行目の転送単位回路（レジスタ）である。ＲＬｍ１，ＲＬｍ２は各々、ラッチ回路３００を構成する、ｍ列１行目ならびにｍ列２行目のラッチ要素回路（単位ラッチ回路）である。
【００４４】
ＲＹｍ１とＲＬｍ１が一組となってｍ列１行目の画素（Ｇ）が構成される。同様に、ＲＹｍ２とＲＬｍ１が一組となってｍ列２行目の画素（Ｇ）が構成される。
【００４５】
ＲＹｍ１，ＲＹｍ２，ＲＬｍ１，ＲＬｍ２はどれも、同じ構成をしている。以下、ＲＹｍ１を例にとって、その構成と動作を具体的に説明する。なお、ＲＹｍ２の構成と動作は、ＲＹｍ１と同様であるため、説明は省略する。
【００４６】
ｍ列１行目の転送単位ＲＹｍ１は、トランスファースイッチとしてのＮＭＯＳトランジスタ（Ｍ１）と、フリップフロップを構成する２段のインバータ（ＩＮＶ１，ＩＮＶ２）およびスイッチ素子としてのＰＭＯＳトランジスタ（Ｍ２）と、によって構成される。
【００４７】
ＮＭＯＳトランジスタ（Ｍ１）およびＰＭＯＳトランジスタ（Ｍ２）は、共に転送クロック（ＹＣＬＫ）によってオン/オフが制御される。ＮＭＯＳトランジスタ（Ｍ１）およびＰＭＯＳトランジスタ（Ｍ２）は相補的に（交互に）オン状態となる。
【００４８】
ｍ列１行目の転送単位回路ＲＹｍ１では、まず、トランスファースイッチとしてのＮＭＯＳトランジスタ（Ｍ１）によって画像データがシフトされ（太い矢印で示される動作（１））、次に、シフトされた画像データがフリップフロップによってラッチされる（太い矢印で示される動作（２））。
【００４９】
Ｙ方向シフトレジスタ２００を構成するトランジスタ構成としてＣＭＯＳ構成（ＮＭＯＳトランジスタＭ１とＰＭＯＳトランジスタＭ２からなる構成）を採用しているのは、画像データ“１”（＝ＶＤＤ）を転送するときの、電圧レベルの低下を防止するためである。すなわち、ＮＭＯＳトランジスタは、ゲートにＶＤＤが印加されたときにオンする。この状態で転送データ“１”（＝ＶＤＤ）がシフトされると、ゲートとドレインが同電位（＝ＶＤＤ）となって、ゲートとドレインが等価的にショートされた状態となり、ＮＭＯＳトランジスタ（Ｍ１）は飽和してＭＯＳダイオードとして機能する。よって、転送される画像データ“１”（＝ＶＤＤ）は、ＮＭＯＳトランジスタ（Ｍ１）を通過すると（ＶＤＤ−ｖｔｈ：ｖｔｈはＮＭＯＳトランジスタＭ１の閾値電圧）となり、若干低下する。このことは転送データの電圧を安定化させる観点からは好ましくない。
【００５０】
しかし、フリップフロップを構成するトランジスタはＰＭＯＳトランジスタ（Ｍ２）であるため（ゲートが接地レベルのときにオンする）、画像データ“１”（＝ＶＤＤ）を転送するときでも、非飽和であり、ＭＯＳダイオードを構成せず、非常に抵抗値が小さい線形の抵抗として機能する。
【００５１】
ＮＭＯＳトランジスタ（Ｍ１）を通過した（ＶＤＤ−ｖｔｈ）の電圧は、レベルシフタとして機能する２段のインバータ（ＩＮＮ１，ＩＮＶ２）でＶＤＤ電位に回復され、そのＶＤＤ電位が、ＰＭＯＳトランジスタ（Ｍ２）を経由して電圧低下することなく正帰還されることから、正規電圧ＶＤＤによる画像データ“１”の記憶が実現される。これによって、転送データの電圧の安定化が図られる。よって、素子の微細化や高速化がさらに促進されたとしても、転送データが誤って反転する誤動作が生じる心配がない。
【００５２】
次に、ＲＬｍ１（ＲＬｍ２も同様）の構成と動作について説明する。ラッチ回路３００を構成する、ｍ列１行目のラッチ要素回路(単位ラッチ回路)ＲＬｍ１は、トランスファースイッチとしてのＮＭＯＳトランジスタ（Ｍ３）と、フリップフロップを構成する２段のインバータ（ＩＮＶ３，ＩＮＶ４）およびスイッチ素子としてのＰＭＯＳトランジスタ（Ｍ４）と、によって構成される。
【００５３】
ＮＭＯＳトランジスタ（Ｍ３）およびＰＭＯＳトランジスタ（Ｍ４）は、共にラッチクロック（ＹＳＦＴ）によってオン/オフが制御される。ＮＭＯＳトランジスタ（Ｍ３）およびＰＭＯＳトランジスタ（Ｍ４）は相補的に（交互に）オン状態となる。
【００５４】
ｍ列１行目のラッチ要素回路（単位ラッチ回路）ＲＬｍ１では、まず、トランスファースイッチとしてのＮＭＯＳトランジスタ（Ｍ２）によって画像データがシフトされ（太い矢印で示される動作（３））、次に、シフトされた画像データがフリップフロップによってラッチされる（太い矢印で示される動作（４））。そして、ラッチされた電圧が液晶素子（ＬＣ）に印加されて画像表示がなされる。
【００５５】
（画像データのＹ方向スクロール）
図３は、画像データをＹ方向にスクロール可能とした場合の、液晶装置の要部の回路構成を示す回路図である。図３において、前掲の図面と共通する部分には同じ参照符号を付してある。
【００５６】
図３では、ｍ列１行目の画素回路〜ｍ列４行目の画素回路が示されている。図３の上側に示されるように、バッファＤＲｍ１は、転送クロック（ＹＣＬＫｍ）を第１ゲート線Ｋ１に供給する。同様に、バッファＤＲｍ２は、転送クロック（／ＹＣＬＫｍ）を第２ゲート線Ｋ１に供給する。また、バッファＤＲｍ３は、ラッチクロック（ＹＳＦＴｍ）を第３ゲート線Ｋ３に供給する。
【００５７】
また、図３の下側に示されるように、Ｘドライバ１１０は、横方向転送用の転送単位回路ＲＸｍをＸ方向（横方向）に従属接続して構成されるシフトレジスタを含む。転送単位回路ＲＸｍは、ＮＭＯＳトランジスタ（Ｍ１０）と、ＰＭＯＳトランジスタ（Ｍ２０）と、２段のインバータ（ＩＮＶ１，ＩＮＮＶ２）と、により構成される。また、ＤＱ１ｍは画像データ（ＶＤＡＴＡ）を入力するためのバッファである。ＤＱｍ２は転送クロック（／ＸＣＬＫ）を入力するためのバッファである。ＤＱｍ３は転送クロック（ＸＣＬＫ）を入力するためのバッファである。
【００５８】
図３において注目すべき点は、Ｙ方向シフトレジスタ２００の出力端（ＯＵＴ１）から出力される画像データ（ＶＤＡＴＡ）を、入力端（ＩＮ１）に戻すための帰還経路ＬＰが設けられている点、ならびに、Ｙ方向シフトレジスタ２００の入力端（ＩＮ１）に入力する画像データを選択するためのセレクタ１０５（ＮＭＯＳトランジスタからなるスイッチＭＳ１，スイッチＭＳ２を含む）が設けられている点である。
【００５９】
セレクタ１０５を構成するスイッチ（ＭＳ１）のオン／オフは、制御信号（Ａ）によって制御される。スイッチ（ＭＳ２）のオン／オフは、制御信号（Ｂ）によって制御される。スイッチ（ＭＳ１）がオンすると、Ｙ方向シフトレジスタ２００の出力端（ＯＵＴ１）から帰還される画像データ（ＶＤＡＴＡ：図中、太線の矢印で示される）が入力端（ＩＮ１）に与えられる。
【００６０】
一方、スイッチＭＳ２がオンすると、Ｘドライバ１１０からの画像データ（ＶＤＡＴＡ）が入力端（ＩＮ１）に与えられる。
【００６１】
このように、Ｙ方向シフトレジスタ２００の入力端（ＯＵＴ１）と出力端（ＩＮ１）とを接続する経路（ＬＰ）を適宜、構築可能とすることによって、液晶装置１００内で、画像データ（ＶＤＡＴＡ）を、自発的に循環させることが可能となる。
【００６２】
例えば、スクリーンセーバーでは、特定の画像をＹ方向（縦方向）に循環させるニーズがあり、このようなニーズに対応する機能として有用である。従来の液晶装置であれば、ホストコンピュータが縦スクロールする画像を常に更新する（新たに画素データを書込む）ことが必要であったが、図３の液晶装置の場合、既に書込まれた画像データを、液晶装置内で自発的に縦にスクロールできるため、ホストコンピュータの負担が生じないという利点がある。
【００６３】
（双方向シフトレジスタを用いた回路構成）
図４は、Ｙ方向シフトレジスタとして、双方向シフトレジスタを用いた例を示す回路図である。
【００６４】
Ｙ方向シフトレジスタ２００は、画像データ（ＶＤＡＴＡ）の転送方向を切換えることが可能な双方向シフトレジスタで構成される。双方向シフトレジスタは、転送切換え制御信号（図４では不図示）によって、画像データ（ＶＤＡＴＡ）の転送方向を切換えることができる。
【００６５】
すなわち、図４の液晶装置では、黒の太線の矢印（ＤＫ１）で示すように、画像データを出力端（ＯＵＴ１）から入力端（ＩＮ１）に戻すことができ、また、白の太線の矢印（ＤＫ２）で示すように、画像データを、入力端（ＩＮ１）から出力端（ＯＵＴ１）に戻すことができる。
【００６６】
これによって、画像を下から上にスクロールすること、ならびに、上から下にスクロールすることの双方が可能となる。したがって、表示の多様性が増大し、従来にない斬新な画像表示が可能となる。
【００６７】
なお、双方向シフトレジスタの具体的な回路構成と基本的な動作については、後に詳述する。
【００６８】
（Ｘ方向シフトレジスタによる画像データの横方向スクロール）
本実施形形態では、Ｘ方向（横方向）シフトレジスタを設けることによって、画像データをＸ方向（横方向）にもスクロール可能とする態様について説明する。すなわち、ラッチ回路３００を構成するラッチ要素回路（ＲＬ）同士を連結することによって、画像データをＸ方向（横方向）に転送するためのＸ方向シフトレジスタを構築することができる。
【００６９】
図５は、Ｘ方向シフトレジスタによって画像データをＸ方向にもスクロールできる液晶装置の構成の概要を示す図である。図５において、前掲の図と共通する部分には同じ参照符号を付してある。
【００７０】
図５では、ｍ列ｎ行目の画素（画素回路）Ｇｍｎと、隣接する（ｍ＋１）列ｎ行目の画素（画素回路）Ｇ（ｍ＋１）ｎに着目する。図示されるように、ｍ列ｎ行目の画素（Ｇｍｎ）に含まれるラッチ要素回路（ＲＬｍｎ）と、（ｍ＋１）列ｎ行目のラッチ要素回路（ＲＬ（ｍ＋１）ｎ）とは、画像データの伝達経路（ＬＸ）によって接続され、かつ、その画像データ伝達経路（ＬＸ）には、セレクタ２０５（ｍ＋１）が介在している。
【００７１】
セレクタ２０５（ｍ＋１）は、（ｍ＋１）列ｎ行目の画素（Ｇ（ｍ＋１）ｎ）における転送単位回路（レジスタ）ＲＹ（ｍ＋１）と、ラッチ要素回路（ＲＬ（ｍ＋１）ｎ）との間に設けられている。
【００７２】
このセレクタ２０５（ｍ＋１）は、転送単位回路（レジスタ）ＲＹ（ｍ＋１）からの画像データ、あるいは、伝達経路（ＬＸ）を経由してシフトされてくる画像データのいずれかを選択して、ラッチ要素回路（ＲＬ（ｍ＋１）ｎ）に供給する働きをする。
【００７３】
セレクタ２０５（ｍ＋１）が、伝達経路（ＬＸ）を経由してシフトされてくる画像データを通過させるモードとなったときに、画像データをＸ方向に転送するＸ方向シフトレジスタ２３０が構築される。
【００７４】
そして、前段のラッチ要素回路（ＲＬｍｎ）には、第１の転送クロック（図５では不図示）が供給され、次段のラッチ要素回路（ＲＬ（ｍ＋１）ｎ）には、第１の転送クロックとは逆相の第２の転送クロック（図５では不図示）が供給される。これによって、前段のラッチ要素回路（ＲＬｍｎ）から次段のラッチ要素回路（ＲＬ（ｍ＋１）ｎ）に、画像データが転送される。
【００７５】
以上の説明では、ｍ列の画素と（ｍ＋１）列の画素について説明したが、以下同様に、隣接する画素のラッチ要素回路同士を画像データ伝達経路で接続し、セレクタをアクティブとすることによって、画像データを横方向に転送するためのＸ方向シフトレジスタ２３０が構築される。そして、奇数列のラッチ要素回路と偶数列のラッチ要素回路の各々に、２相の転送クロックの各々を入力して駆動することによって、画像データを１段ずつシフトすることができる。
【００７６】
図６は、Ｘ方向シフトレジスタによって画像データをＸ方向にもスクロールできる液晶装置の具体的な回路構成を示す回路図である。図６において、前掲の図と共通する部分には同じ参照符号を付してある。
【００７７】
図６の左側には、ｍ列系の画素（ｍ列１行目の画素（Ｇｍ１）〜ｍ列４行目の画素（Ｇｍ４））が記載されている。また、図６の右側には、（ｍ＋１）列系の画素（ｍ＋１）列１行目の画素（Ｇ（ｍ＋１）１）〜（ｍ＋１）列４行目の画素（Ｇ（ｍ＋１）４））が記載されている。
【００７８】
図５に示されるセレクタ２０５（２０５（ｍ），２０５（ｍ＋１））は、図６では、２つのスイッチ（ＮＭＯＳトランジスタ）ＳＴ１，ＳＴ２によって構成されている。スイッチＳＴ１のオン／オフは制御信号Ａで駆動され、スイッチＳＴ２のオン／オフは、逆相の制御信号Ｂによって駆動される。
【００７９】
図６において、ＬＸ１は、ＲＬｍ１とＲＬ（ｍ＋１）１とを結ぶ画像データ伝達経路であり、ＬＸ２は、ＲＬｍ２とＲＬ（ｍ＋１）２とを結ぶ画像データ伝達経路であり、ＬＸ３、ＲＬｍ３とＲＬ（ｍ＋１）３とを結ぶ画像データ伝達経路であり、ＬＸ４は、ＲＬｍ４とＲＬ（ｍ＋１）４とを結ぶ画像データ伝達経路である。
【００８０】
また、図６において注目すべき点は、図６の上側において、セレクタ（４００ｍ，４００（ｍ＋１））が設けられている点である。これらのセレクタ（４００ｍ，４００（ｍ＋１）は、各列のラッチ要素回路（ＲＬ）に、ラッチパルス（ＹＳＦＴ）、または、Ｘ方向転送パルス（ＹＣＬＫ，／ＹＣＬＫのいずれか）を選択的に供給するために設けられている。
【００８１】
セレクタ（４００ｍ，４００（ｍ＋１））がどちらのパルスを選択するかは、選択信号ＳＬＴ（ＳＬＴｍ，ＳＬＴ（ｍ＋１））によって決定される。
【００８２】
また、画像データのＸ方向転送モードが選択されるとき、ｍ列目のセレクタ４００ｍは、Ｙ方向シフトレジスタ用の第１の転送クロック（／ＹＣＬＫ）を各行のラッチ要素回路（ＲＬｍ）に供給し、一方、（ｍ＋１）列目のセレクタ４００（ｍ＋１）は、Ｙ方向シフトレジスタ用の第２の転送クロック（ＹＣＬＫ）を各行のラッチ要素回路（ＲＬ（ｍ＋１））に供給する。これによって、画像データが、Ｘ方向に１段ずつシフトされる。
【００８３】
このように、隣接する画素のラッチ要素回路間を結ぶデータ伝達経路（ＬＸ）と、各画素に設けられたセレクタ（２０５，スイッチＳＴ１およびＳＴ２）を含んで構成され、そのセレクタによって横方向転送モードが選択されたときに、Ｘ方向シフトレジスタ２３０（図５参照）がアクティブとなって画像データのＸ方向（横方向）転送が可能となる。
【００８４】
各画素に設けられるセレクタ（２０５，スイッチＳＴ１およびＳＴ２）は、Ｙ方向（縦方向）シフトレジスタ２００からの画像データ（ＶＤＡＴＡ）をパラレルにラッチするモードと、各画素に保持されている画像データ（ＶＤＡＴＡ）を、Ｘ方向に隣接する画素に転送する（横方向転送）モードと、を選択するために設けられており、セレクタを用いて各画素のラッチ要素回路同士を適宜、連結することによって、新たな回路要素の追加をすることなく、Ｘ方向シフトレジスタ２３０を構築することができる。
【００８５】
そして、各ラッチ要素回路に、互いに逆相の転送クロック（ＹＣＬＫ，／ＹＣＬＫ）を供給することによって、画像データ（ＶＤＡＴＡ）が一段ずつ右方向（あるいは左方向）にシフトされていく。
【００８６】
このように、本実施形態によれば、液晶装置の画素アレイのサイズを増大させることなく、画像データの自発的な縦方向スクロールおよび横方向スクロールを自在に行うことが可能となる。
【００８７】
（双方向シフトレジスタの構成と動作の一例）
以下、図４の実施形態において使用される双方向シフトレジスタの構成および動作の一例について説明する。
【００８８】
図７は、双方シフトレジスタの概要を示すブロック図である。まず、双方向シフトレジスタ１について説明する。双方向シフトレジスタ１は、転送方向を指示する転送方向制御信号（転送方向切換え制御信号）ＤＩＲに従ってスタートパルスＳＰの転送方向を切り替える。具体的には、転送方向制御信号ＤＩＲがＨレベルのとき右方向（左から右）へスタートパルスＳＰをシフトし、転送方向制御信号ＤＩＲがＬレベルのとき左方向（右から左）へスタートパルスＳＰをシフトする。
【００８９】
図７に示されるように、双方向シフトレジスタ１は、データ転送部２とクロック制御部３とを備える。この例のデータ転送部２は、ｎ個のデータ転送単位回路Ｕａ１、Ｕａ２、…、Ｕａj（jは、２以上ｎ未満の自然数）…、ＵａｎとトランスファーゲートＴＧ１及びＴＧ２、インバータＩＮＶ１を備える。
【００９０】
インバータＩＮＶ１は転送方向制御信号ＤＩＲの論理レベルを反転して反転転送方向制御信号ＤＩＲＢを生成する。転送方向制御信号ＤＩＲがＨレベルのとき、トランスファーゲートＴＧ１がオン状態となり、トランスファーゲートＴＧ２がオフ状態となる。一方、転送方向制御信号ＤＩＲがＬレベルのとき、トランスファーゲートＴＧ１がオフ状態となり、トランスファーゲートＴＧ２がオン状態となる。即ち、転送方向制御信号ＤＩＲがＨレベルで右方向のシフトを指示する場合、スタートパルスＳＰは右端のデータ転送単位回路Ｕａ１に供給され、転送方向制御信号ＤＩＲがＨレベルで左方向のシフトを指示する場合、スタートパルスＳＰは左端のデータ転送単位回路Ｕａｎに供給される。
【００９１】
図８は、双方向シフトレジスタを構成する転送単位回路の構成を示す回路図である。図８には、j番目のデータ転送単位回路Ｕａjの回路図が示される。なお、他のデータ転送単位回路も同様に構成されている。
【００９２】
図８に示すように、データ転送単位回路Ｕａjは、クロックドインバータ１０及び１１、ＮＯＲ回路１２、ＰチャネルのトランジスタＰ１及びＰ２、並びにＮチャネルのトランジスタＮ１及びＮ２を備える。転送方向を右方向としたとき、トランジスタＰ１及びＮ１によって書き込みスイッチＳＷａjが構成され、書き込みスイッチＳＷａjが第１端子Ｓ１と第１接続点Ｓ３との間に設けられる。トランジスタＰ２及びＮ２によってホールドスイッチＳＷｂjが構成され、ホールドスイッチＳＷｂjが第１接続点Ｓ３と第２端子Ｓ２との間に設けられる。また、第１接続点Ｓ３と第２接続点Ｓ４との間に設けられたＮＯＲ回路１２はリセット信号ＲＥＳＴが非アクティブのとき反転回路として機能する。さらに、第２接続点Ｓ４と第１端子Ｓ１との間にはクロックドインバータ０が設けられ、第２接続点Ｓ４と第２端子Ｓ２との間にはクロックドインバータ１１が設けられる。
【００９３】
そして、トランジスタＰ１には第１クロック信号ＣＫ１jが、トランジスタＮ１には第２クロック信号ＣＫ２jが、トランジスタＮ２には第３クロック信号ＣＫ３jが、トランジスタＰ２には第４クロック信号ＣＫ４jが供給される。第１〜第４クロック信号ＣＫ１j〜ＣＫ４jは、データ転送単位回路Ｕａjに対応して設けられたクロック制御回路Ｕｂjから供給され、データ転送単位回路Ｕａjの入力信号ＩＮjと出力信号ＯＵＴjは、クロック制御回路Ｕｂjに供給される。
【００９４】
ＮＯＲ回路１２からシフト信号Ｑjが取り出される。ＮＯＲ回路１２の一方の入力端子には、リセット信号ＲＥＳＴが供給され、他方の入力端子は書き込みスイッチＳＷａj及びＳＷｂjの接続点が接続される。リセット信号ＲＥＳＴはＨレベルでアクティブとなる。Ｈレベルのリセット信号ＲＥＳＴが供給されると、シフト信号Ｑjの論理レベルは強制的にＬレベルとなる。電源投入時において、各データ転送単位回路Ｕａ１〜Ｕａｎのシフト信号Ｑ１〜Ｑｎの論理レベルは区々である。リセット信号ＲＥＳＴは、そのような場合に出力信号Ｑ１〜Ｑｎの論理レベルをＬレベルに揃えるために用いられる。
【００９５】
また、クロックドインバータ１０は、反転転送方向制御信号ＤＩＲＢがＨレベルのときインバータとして動作する一方、反転転送方向制御信号ＤＩＲＢがＬレベルのとき出力端子がハイインピーダンス状態となる。また、クロックドインバータ１１は、転送方向制御信号ＤＩＲがＨレベルのときインバータとして動作する一方、転送方向制御信号ＤＩＲがＨレベルのとき出力端子がハイインピーダンス状態になる。
【００９６】
図９（Ａ），図９（Ｂ）は各々、双方転送動作を説明するための図である。図８において、リセット信号ＲＥＳＴが非アクティブ（Ｌレベル）で、転送方向制御信号ＤＩＲがＨレベルであるとすれば、転送方向は右方向となり、データ転送単位回路Ｕａj及びＵａj+1の等価回路は図９（Ａ）に示すものとなる。この場合、クロックドインバータ１０は非アクティブとなり、ＮＯＲ回路１２はインバータとして機能する。また、リセット信号ＲＥＳＴが非アクティブ（Ｌレベル）で、転送方向制御信号ＤＩＲがＬレベルであるとすれば、転送方向は左方向となり、データ転送単位回路Ｕａj及びＵａj+1の等価回路は図９（Ｂ）に示すものとなる。
【００９７】
次に、図７に示すクロック制御部３について説明する。クロック制御部３は、正転クロック信号ＣＫを反転して反転クロック信号ＣＫＢを出力するインバータＩＮＶ２、及び複数のクロック制御回路Ｕｂ１、Ｕｂ２、…、Ｕｂj、…、Ｕｂｎを備える。各クロック制御回路Ｕｂ１〜Ｕｂｎは、複数のデータ転送単位回路Ｕａ１〜Ｕａｎに各々対応して設けられており、クロック供給回路２０及びクロック入力回路３０を備える。奇数段のクロック制御回路Ｕｂ１、Ｕｂ３、Ｕｂ５、…には、正転クロック信号ＣＫが供給される一方、偶数段のクロック制御回路Ｕｂ２、Ｕｂ４、Ｕｂ６、…には、反転クロック信号ＣＫＢが供給される。なお、この例において「j」は奇数である。
【００９８】
図１０は、双方向シフトレジスタを構成するクロック制御回路の構成を示すブロック図である。図１０には、j段目のクロック制御回路Ｕｂjのブロック図が示される。クロック入力回路３０は、第１イネーブル信号生成回路３１、ＮＯＲ回路３２、トランスファーゲート３３、第２イネーブル信号生成回路３４、ＮＡＮＤ回路３５、及びトランスファーゲート３６を備える。トランスファーゲート３３は、転送方向制御信号ＤＩＲがＨレベルのとき、即ち、転送方向が右方向のときにオン状態となり、転送方向制御信号ＤＩＲがＬレベルのとき、即ち、転送方向が左方向のときにオフ状態となる。一方、トランスファーゲート３６は、反転転送方向制御信号ＤＩＲＢがＨレベルのとき、即ち、転送方向が左方向のときにオン状態となり、反転転送方向制御信号ＤＩＲＢがＬレベルのとき、即ち、転送方向が右方向のときにオフ状態となる。従って、転送方向が右方向の場合には、ＮＯＲ回路３２の出力信号がクロック信号ＣＬＫとしてクロック供給回路２０に供給される一方、転送方向が左方向の場合には、ＮＡＮＤ回路３５の出力信号がクロック信号ＣＬＫとしてクロック供給回路２０に供給される。トランスファーゲート３３及び３６は、転送方向制御信号ＤＩＲに応じて、ＮＯＲ回路３２の出力信号及びＮＡＮＤ回路３６の出力信号を選択してクロック信号ＣＬＫとして出力する選択手段として機能する。
【００９９】
ＮＯＲ回路３２の一方の入力端子にはＬレベルでアクティブとなる第１イネーブル信号ＥＮ１が供給され、他方の入力端子には正転クロック信号ＣＫが供給される。第１イネーブル信号ＥＮ１は、正転クロック信号ＣＫの入力を許可する信号である。
【０１００】
（第２の実施形態）
本実施形態では、本発明の液晶装置（電気光学装置）を搭載した電子機器の例について説明する。
【０１０１】
（プロジェクタ）
まず、本発明の電気光学装置をライトバルブとして用いたプロジェクタについて説明する。図１１は、本発明の電気光学装置（反射型液晶装置）を搭載したプロジェクタの全体構成を示す図である。
【０１０２】
図示されるように、プロジェクタ１１００内部には、偏光照明装置１１１０がシステム光軸ＰＬに沿って配置されている。この偏光照明装置１１１０において、ランプ１１１２からの出射光は、リフレクタ１１１４による反射で略平行な光束となって、第１のインテグレータレンズ１１２０に入射する。これにより、ランプ１１１２からの出射光は、複数の中間光束に分割される。この分割された中間光束は、第２のインテグレータレンズを光入射側に有する偏光変換素子１１３０によって、偏光方向が略々揃った一種類の偏光光束（ｓ偏光光束）に変換されて、偏光照明装置１１１０から出射される。
【０１０３】
偏光照明装置１１１０から出射されたｓ偏光光束は、偏光ビームスプリッタ１１４０のｓ偏光光束反射面１１４１によって反射される。この反射光束のうち、青色光（Ｂ）の光束がダイクロイックミラー１１５１の青色光反射層にて反射され、反射型の電気光学装置１００Ｂによって変調される。また、ダイクロイックミラー１１５１の青色光反射層を透過した光束のうち、赤色光（Ｒ）の光束は、ダイクロイックミラー１１５２の赤色光反射層にて反射され、反射型の液電気光学装置１００Ｒによって変調される。
【０１０４】
一方、ダイクロイックミラー１１５１の青色光反射層を透過した光束のうち、緑色光（Ｇ）の光束は、ダイクロイックミラー１１５２の赤色光反射層を透過して、反射型の電気光学装置１００Ｇによって変調される。
【０１０５】
このようにして、電気光学装置１００Ｒ、１００Ｇ、１００Ｂによってそれぞれ色光変調された赤色、緑色、青色の光は、ダイクロイックミラー１１５２、１１５１、偏光ビームスプリッタ１１４０によって順次合成された後、投射光学系１１６０によって、スクリーン１１７０に投射されることとなる。なお、電気光学装置１００Ｒ、１００Ｂおよび１００Ｇには、ダイクロイックミラー１１５１、１１５２によって、Ｒ、Ｇ、Ｂの各原色に対応する光束が入射するので、カラーフィルタは必要ない。
【０１０６】
上述のとおり、本発明の電気光学装置（１００Ｒ、１００Ｇ、１００Ｂ）は、Ｙドライバが不要であるため、占有面積が小さく、電子機器の小型化に寄与する。また、画像のＹ方向スクロールやＸ方向スクロールが可能であり、従来にない多様な画像形成が可能であり、その際、ホストコンピュータが新たに画像を書き込む必要がなく、ホストコンピュータの負担が軽減される。図１１のプロジェクタは、小型かつ低消費電力であり、自在な画像表示が可能であり、例えば、ホームシアター用のプロジェクタとして有用である。
【０１０７】
なお、上述の例では反射型の電気光学装置を用いたが、透過型表示の電気光学装置を用いたプロジェクタとすることもできる。但し、本発明の液晶装置では、１画素に複数の記憶回路が含まれるため、画素部における素子数が増大する傾向があり、この点を考慮すれば、十分な空きスペースを確保し易い（つまり、反射電極の下に素子の配置が可能な）反射型液晶装置の方が有利である。
【０１０８】
（モバイル型コンピュータ）
次に、本発明の電気光学装置を、モバイル型のパーソナルコンピュータに適用した例について説明する。図１２は、本発明の電気光学機器を搭載したパーソナルコンピュータの構成を示す斜視図である。
【０１０９】
図１２において、コンピュータ１２００は、キーボード１２０２を備えた本体部１２０４と、表示ユニット１２０６とから構成されている。この表示ユニット１２０６は、先に述べた電気光学装置１００の前面にフロントライトを付加することにより構成されている。なお、この構成では、電気光学装置１００を反射直視型として用いることになるので、画素電極１１８において、反射光が様々な方向に散乱するように、凹凸が形成される構成が望ましい。
【０１１０】
上述のとおり、本発明の電気光学装置は、Ｙドライバが不要であるため、占有面積が小さく、電子機器（モバイル型コンピュータ）の小型化に寄与する。また、画像のＹ方向スクロールやＸ方向スクロールが可能であり、従来にない多様な画像形成が可能であり、その際、ホストコンピュータが新たに画像を書き込む必要がなく、ホストコンピュータの負担が軽減される。
【０１１１】
（携帯端末）
図１３は、本発明の電気光学装置を搭載した携帯端末（ここでは、携帯電話端末とする）の構成を示す斜視図である。同図において、携帯電話１３００は、複数の操作ボタン１３０２のほか、受話口１３０４、送話口１３０６と共に、電気光学装置１００を備えるものである。この電気光学装置１００にも、必要に応じてその前面にフロントライトが設けられる。また、この構成でも、電気光学装置１００が反射直視型として用いられることになるので、画素電極１１８に凹凸が形成される構成が望ましい。
【０１１２】
上述のとおり、本発明の電気光学装置は、面積階調法と組み合わせることによって、サブフィールド数を増加させることなく、より細かな階調表現が可能である。よって、図９の携帯端末は、低消費電力性を維持しつつ、従来に比べて、より高精細な画像表示が可能である。
【０１１３】
なお、本発明は、その他の電子機器（例えば、液晶テレビや、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等）にも適用が可能である。
【０１１４】
このように本発明によれば、電気光学装置においてＹドライバが不要となり、電気光学装置のＸ方向のサイズを縮小することができる。
【０１１５】
さらに、電気光学装置における画像データの縦方向スクロールや横方向スクロールが可能となる。
【０１１６】
また、電子機器の多機能化、高機能化、表示機能の多様化が達成され、かつ、電子機器の利便性も向上する。
【０１１７】
以上、本発明の実施形態を参照して本発明の内容を説明したが、本発明の要旨を逸脱しない範囲で、多くの変形が可能であることは、当業者には容易に理解できるであろう。したがって、このような変形例は、すべて本発明に含まれるものとする。例えば、電気光学材料としては、電圧印加によって透過率が変化する材料を広く利用することができる。また、スイッチ素子を、トランジスタではなくダイオードで構成するといった変形がなされた画素回路は、すべて本発明の技術範囲に含まれる。
【０１１８】
本発明は、アクティブマトリクス型液晶装置（特に、反射型の液晶表示装置）や有機ＥＬ装置、無機ＥＬ装置等の電気光学装置全般、アクティブマトリクス基板、ならびに電子機器（携帯端末、コンピュータ端末、ホームシアター用プロジェクタ等）として有用である。
【図面の簡単な説明】
【０１１９】
【図１】本発明の電気光学装置の一例（反射型液晶装置）の全体構成を示す図
【図２】Ｙ方向シフトレジスタとラッチ回路の要部の、具体的な内部回路構成を示す回路図
【図３】画像データをＹ方向にスクロール可能とした場合の、液晶装置の要部の回路構成を示す回路図
【図４】Ｙ方向シフトレジスタとして、双方向シフトレジスタを用いた例を示す回路図
【図５】Ｘ方向シフトレジスタによって画像データをＸ方向にもスクロールできる液晶装置の構成の概要を示す図
【図６】Ｘ方向シフトレジスタによって画像データをＸ方向にもスクロールできる液晶装置の具体的な回路構成を示す回路図
【図７】双方シフトレジスタの概要を示すブロック図
【図８】双方向シフトレジスタを構成する転送単位回路の構成を示す回路図
【図９】図９（Ａ），図９（Ｂ）は各々、双方転送動作を説明するための図
【図１０】双方向シフトレジスタを構成するクロック制御回路の構成を示すブロック図
【図１１】本発明の電気光学装置（例えば、反射型液晶装置）を搭載したプロジェクタの全体構成を示す図
【図１２】本発明の電気光学機器を搭載したパーソナルコンピュータの構成を示す斜視図
【図１３】本発明の電気光学装置を搭載した携帯端末の構成を示す斜視図
【符号の説明】
【０１２０】
１００  液晶装置
１１０  Ｘドライバ、１２０  画素アレイ、１３０  クロック回路、
２００  Ｙ方向シフトレジスタ、３００  ラッチ回路、
２３０  Ｘ方向シフトレジスタ、  ＬＣ  液晶素子、  Ｇ  画素（画素回路）、
ＲＹ  単位転送回路（レジスタ）、ＲＬ  ラッチ要素回路（単位ラッチ回路）、
ＶＤＡＴＡ  画像データ、  ＹＣＬＫ，／ＹＣＬＫ  ２相の転送クロック、
ＹＳＦＴ  ラッチクロック
【図１】
2008241833.tif 000003
【図２】
2008241833.tif 000004
【図３】
2008241833.tif 000005
【図４】
2008241833.tif 000006
【図５】
2008241833.tif 000007
【図６】
2008241833.tif 000008
【図７】
2008241833.tif 000009
【図８】
2008241833.tif 000010
【図９】
2008241833.tif 000011
【図１０】
2008241833.tif 000012
【図１１】
2008241833.tif 000013
【図１２】
2008241833.tif 000014
【図１３】
2008241833.tif 000015